【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
接触器ユニットであって、
エネルギー出力装置の第１のリード線と接続可能な入力リード線と、
電圧バスの第１のリード線と接続可能な出力リード線と、
前記入力リード線を前記出力リード線と接続し、かつ前記出力リード線から切断する接触器と、
前記接触器を動作させるように構成されたドライバと、
前記接触器ユニットの外部にあるシステム制御器と接続可能なシリアルデータリンクと、
前記接触器ユニット内に位置付けられた集積回路（ＩＣ）であって、
前記ドライバに
前記入力リード線または前記出力リード線のうちのいずれかの中の電流、および
前記接触器の両端間の電圧差
のうちの少なくとも１つに基づき、前記接触器を開く制御コマンドを出力し、
前記シリアルデータリンクを介して接触器制御ステータスを出力する
ように構成されている集積回路（ＩＣ）と
を備える、接触器ユニット。
【請求項２】
前記ＩＣは、
前記接触器の両端間で測定される電圧読取り値を受け取り、この電圧読取り値に基づき前記電圧差を計算し、
前記電圧差と電圧閾値を比較し、
前記入力リード線または前記出力リード線のうちのいずれかの中の電流読取り値を受け取り、
前記電流読取り値と電流閾値を比較し、
前記ドライバに、
前記電圧差と前記電圧閾の前記比較、および
前記電流読取り値と前記電流閾値の前記比較
のうちの少なくとも１つに基づき、前記制御コマンドを出力する
ように構成されている、請求項１記載の接触器ユニット。
【請求項３】
前記ＩＣは、前記接触器ユニットの動作変数をプログラムすることができるように、プログラム可能である特定用途向け集積回路（ＡＳＩＣ）であり、前記動作変数は、前記電圧閾値および前記電流閾値を含む、請求項２記載の接触器ユニット。
【請求項４】
前記ＡＳＩＣは、前記接触器ユニットの外部にあるコンピュータから前記シリアルリンクを介してプログラム可能である、請求項３記載の接触器ユニット。
【請求項５】
前記電流読取り値を作成するように位置付けられる電流シャントを含み、前記電流シャントは、前記電流シャントの一方側に対する第１の電圧測定ポイントと、前記電流シャントの他方側に対する第２の電圧測定ポイントを有し、前記電流読取り値は、前記第１の電圧測定ポイントおよび前記第２の電圧測定ポイントで測定される電圧に基づき、決定される、請求項２記載の接触器ユニット。
【請求項６】
第１の電圧タップポイントから、および第２の電圧タップポイントから電圧値を受け取るように構成されたアナログ／デジタル（Ａ／Ｄ）変換器を備え、前記第１の電圧タップポイントは、前記接触器の一方側に対する電圧を測定するように位置付けられ、前記第２の電圧タップポイントは、前記接触器の他方側に対する電圧を測定するように位置付けられ、前記ＩＣは、  前記第１の電圧測定ポイントおよび前記第２の電圧測定ポイントで測定される前記電圧に基づき、前記電流読取り値を決定し、
前記第１および第２の電圧タップポイントでの前記電圧測定値に基づき、前記接触器の両端間の前記電圧差を計算する
ように構成されている、
請求項５記載の接触器ユニット。
【請求項７】
前記エネルギー出力装置の第２のリード線と接続可能な第２の入力リード線と、
前記電圧バスの第２のリード線と接続可能な第２の出力リード線と、
前記第２の入力リード線を前記第２の出力リード線と接続し、かつ前記第２の出力リード線から切断する第２の接触器と、
前記第２の接触器を動作させるように構成された第２のドライバとを備え、
前記ＩＣは、
前記第２のドライバに、
前記第２の入力リード線または前記第２の出力リード線のうちのいずれかの中の第２の電流、および
前記第２の接触器の両端間の第２の電圧差
のうちの少なくとも１つに基づき、前記第２の接触器を開く第２の制御コマンドを出力し、
前記シリアルデータリンクを介して第２の接触器制御ステータスを出力する
ようにさらに構成されている、
請求項１乃至６のいずれかに記載の接触器ユニット。
【請求項８】
絶縁接触器を動作させる方法であって、
エネルギー出力装置の第１のリード線に前記絶縁接触器の入力リード線を取り付け、電圧バスに前記絶縁接触器の出力リード線を取り付けるステップと、
前記入力リード線および前記出力リード線のうちの１つを流れて通過する電流を測定するステップと、
前記絶縁接触器の筺体内に位置付けられ、前記入力リード線および前記出力リード線と結合されるスイッチの両端間の電圧を測定するステップであって、前記スイッチは、前記出力リード線から前記入力リード線を切断するように構成されている、ステップと、
前記測定される電流および前記測定される電圧を表す信号を前記絶縁接触器の前記筺体内に位置付けられる集積回路（ＩＣ）に伝えるステップと、
前記ＩＣに伝えられる前記信号に基づき、ドライバを制御するステップであって、前記ドライバは、前記スイッチを動作させるように構成されている、ステップと、
シリアルリンクを介して前記筺体の外部にある計算装置に前記スイッチのステータスを出力するステップと
を含む、方法。
【請求項９】
前記筺体内に位置付けられるアナログ／デジタル（Ａ／Ｄ）変換器を用いて前記電流および前記電圧を測定するステップと、
前記Ａ／Ｄ変換器から前記伝えられる信号をデジタル信号として出力するステップと
を含む、請求項８記載の方法。
【請求項１０】
前記ＩＣ中で、前記入力リード線および前記出力リード線のうちの前記１つを流れて通過する前記電流と電流閾値を比較するステップと、
前記ＩＣ中で、前記スイッチの両端間の前記電圧と電圧差閾値を比較するステップと、
前記電流と前記電流閾値の前記比較に基づき、かつ前記スイッチの両端間の前記電圧と前記差閾値の前記比較に基づき、前記ドライバを制御するステップと
を含む、請求項８記載の方法。
【請求項１１】
前記集積回路は、特定用途向け集積回路（ＡＳＩＣ）であり、前記方法は、前記接触器ユニットの動作変数をプログラムすることができるように、前記ＡＳＩＣをプログラムするステップをさらに含み、前記動作変数は、前記電圧差閾値および前記電流閾値を含む、請求項１０記載の方法。
【請求項１２】
前記シリアルリンクを介して前記ＡＳＩＣをプログラムするステップを含む、請求項１１記載の方法。
【請求項１３】
前記電流を測定するステップは、前記入力リード線および前記出力リード線のうちの１つと直列である電流シャントの両端間の前記電流を測定するステップを含む、請求項８乃至１２のいずれかに記載の方法。
【請求項１４】
第１の電圧装置を第２の電圧装置から絶縁するためのシステムであって、
絶縁ユニットであって、前記絶縁ユニットの外部にあり、かつ各々のエネルギー装置のリード線と接続可能である少なくとも第１および第２のリード線を有する、絶縁ユニットと、
前記絶縁ユニットの筺体内に位置付けられたスイッチであって、前記第１および第２のリード線が、前記スイッチによって選択的にエンゲージ可能であるように、前記第１および第２のリード線と結合される、スイッチと、
前記筺体内に位置付けられ、前記スイッチをエンゲージし、ディスエンゲージするように構成されたドライブユニットと、
前記筺体内に位置付けられた集積回路（ＩＣ）であって、
前記ドライブユニットに
前記第１のリード線または前記第２のリード線のうちのいずれかの中の電流、および
前記スイッチの両端間の電圧差
のうちの少なくとも１つに基づき、前記スイッチを開く制御コマンドを出力し、
シリアルデータリンクを介してシステム制御ステータスを出力する
ように構成されている集積回路（ＩＣ）と
を備える、システム。
【請求項１５】
前記ＩＣは、
前記第１および第２のリード線で測定される電圧読取り値を受け取り、この電圧読取り値に基づき前記電圧差を計算し、
前記電圧差と電圧閾値を比較し、
前記第１のリード線または前記第２のリード線のうちのいずれかから電流読取り値を受け取り、
前記電流読取り値と電流閾値を比較し、
前記ドライバに、
前記電圧差と前記電圧閾値の前記比較、および
前記電流読取り値と前記電流閾値の前記比較
のうちの少なくとも１つに基づき、前記制御コマンドを出力する
ように構成され、
前記ＩＣは、前記接触器ユニットの動作変数をプログラムすることができるように、プログラム可能である特定用途向け集積回路（ＡＳＩＣ）であり、前記動作変数は、前記電圧閾値および前記電流閾値を含み、
前記ＡＳＩＣは、前記接触器ユニットの外部にあるコンピュータから前記シリアルリンクを介してプログラム可能である、請求項１４記載のシステム。
【請求項１６】
前記電流読取り値を作成するように位置付けられ、前記第１のリード線または前記第２のリード線のうちの１つと結合される電流シャントを含み、前記電流シャントは、前記電流シャントの一方側に対する第１の電圧測定ポイントと、前記電流シャントの他方側に対する第２の電圧測定ポイントとを有し、前記電流読取り値は、前記第１の電圧測定ポイントおよび前記第２の電圧測定ポイントで測定される電圧に基づき、決定され、
前記筺体内に位置付けられたアナログ／デジタル（Ａ／Ｄ）変換器であって、第１の電圧タップポイントから、および第２の電圧タップポイントから電圧値を受け取るように構成されたアナログ／デジタル（Ａ／Ｄ）変換器を備え、前記第１の電圧タップポイントは、前記スイッチの一方側に対する電圧を測定するように位置付けられ、前記第２の電圧タップポイントは、前記スイッチの他方側に対する電圧を測定するように位置付けられ、前記ＩＣは、
前記第１の電圧測定ポイントおよび前記第２の電圧測定ポイントで測定される前記電圧に基づき、前記電流読取り値を決定し、
前記第１および第２の電圧タップポイントでの前記電圧測定値に基づき、前記スイッチの両端間の前記電圧差を計算する
ように構成されている、
請求項１５記載のシステム。
【請求項１７】
前記絶縁ユニットの外部にあり、各々のエネルギー装置のリード線と接続可能である第３および第４のリード線と、
前記絶縁ユニットの前記筺体内に位置付けられ、前記各々のエネルギー装置の前記第３のおよび第４のリード線と結合される第２のスイッチと、
前記筺体内に位置付けられ、前記第２のスイッチをエンゲージし、ディスエンゲージするように構成された第２のドライブユニットとを含み、
前記ＩＣは、
前記第２のドライブユニットに
前記第３または第４のリード線のうちのいずれかの中の第２の電流、および
前記第２のスイッチの両端間の第２の電圧差
のうちの少なくとも１つに基づき、前記第２のスイッチを開く第２の制御コマンドを出力し、
前記シリアルデータリンクを介して第２のシステム制御ステータスを出力する
ようにさらに構成されている、
請求項１４乃至１６のいずれかに記載のシステム。